(57)【要約】【課題】  透析病院は透析患者を透析中に災害、地震・火事・津波等に依る緊急救助体制を取り、一刻も早急にベッドに横たわっている患者を、透析機械を一時的に止めて止血体制に入りますが、この新規止血ベルトにより、止血操作を速めて、患者を安全な場所に避難させ災害被害より救い出す事です。【解決手段】  緊急災害時に透析患者を避難場所まで導く為、短時間で透析止血操作を行う必要があり、弾力性紙ばんどに滅菌ガーゼを取り付け、ガーゼの中心位置の確認後、ガーゼ上部を指で押さえて、透析針を抜き、バンド部の接着剤糊代部を腕に取り付け固定し、次にガーゼを強く腕に押さえる為に反対のベルト端のバンドめくり取っ手部を強く引きながら腕の接着剤糊代の上部、滅菌ガーゼ上部及びベルトを腕に円を書く様に紙巻き、弾力性紙バンドの上部を楔（凹）に、バンド下部に楔（凸）を加工し腕に巻くと上透析緊急離脱止血バンド。【選択図】図４
2013138911.tif 000002
【特許請求の範囲】
【請求項１】
緊急災害時に透析患者を避難場所まで導く為、極短時間で透析止血操作を行う必要があり、弾力性紙バンドに滅菌ガーゼを取り付け、ガーゼの中心位置の確認後、ガーゼ上部を指で押さえて、透析針を抜き、バンド部の接着材糊部を腕に取り付け固定し、次にガーゼを強く腕に押さえる為に反対のベルト端のバンドめくり取っ手部を強く引きながら腕の接着剤糊代の上部、滅菌ガーゼ上部及びベルトを腕に円を書く様に巻き、弾力性紙バンドの上部を楔（凹）に、バンド下部に楔（凸）を加工し腕に巻くと上下の楔が重なり合い、止血操作が完了し、患者はベッドより避難場所に避難出来る透析緊急離脱止血バンド。
【発明の詳細な説明】
【技術分野】
【０００１】  本発明は人工透析患者が透析中に自然災害、地震・火事・津波等に依るベットからの緊急離脱する為の止血操作による安全な場所に避難する為の、透析緊急離脱止血バンドに関するものである。
【背景技術】
【０００２】  現在の透析止血操作は、一般的に止血ベルトにマジックチャックが使用されており、このマジックチャックの使用効果は大変良く出来ており透析患者も安心して使用しております。
【先行技術文献】
【特許文献】
【０００３】
【発明が解決しようとする課題】
【０００４】  透析病院は透析患者を透析中に災害、地震・火事・津波等に依る緊急救助体制を取り、一刻も早急にベットに横たわっている患者を、透析機械を一時的に止めて止血体制に入りますが、この新規止血ベルトにより、止血操作を速めて、患者を安全な場所に避難させ災害被害より救い出す事です。
本発明は、以上の問題点を解決するもである。
【課題を解決するための手段】
【０００５】  緊急災害時による透析患者を早急に避難場所まで導く為、極短時間で透析止血操作を行う必要があり、弾力性紙バンドに滅菌ガーゼを取り付け、ガーゼの中心位置の確認後、ガーゼ上部を指で押さえて、透析針を抜き、バンド部の接着材糊部を腕に取り付け固定し、次にガーゼを強く腕に押さえる為に反対ベルト端のバンドめくり取っ手部を強く引きながら腕の接着剤糊代の上部、滅菌ガーゼ上部及びベルトを腕の上部に円を書く様に腕に巻き、弾力性紙バンドの上部に楔（凹）に、バンド下部に楔（凸）を加工し腕にまくと上下の楔が重なり合い、止血操作が完了し、患者はベッドより非難場所に避難出来、
止血操作が完了し、患者はベッド避難場所に避難出来る透析緊急離脱止血バンド。
【発明の効果】
【０００６】  この緊急透析離脱止血バンドにより、災害発生、地震・火事・津波等から従来の透析止血時間を短縮し、一人当たりの操作時間が数十秒で完了させ、透析患者を安全な避難場所まで避難させる事が出来る。
【図面の簡単な説明】
【０００７】
【図１】  本発明の全体図を示す斜視図
【図２】  本発明の使用状態を示す斜視図
【図３】  本発明の使用状態を示す斜視図
【図４】  本発明の使用状態を示す斜視図
【発明を実施するための形態】
【０００８】以下、本発明の実施の形態を説明する。
（イ）弾力性紙バンド（１）に厚みのある滅菌ガーゼ（２）を取り付け、弾力性紙バンド（１）に接着剤糊代（９）を加工し付着させ、弾力性紙バンド（１）の表面に楔（凹）（４）形を加工し付着する。
（ロ）弾力性紙バンド（１）の裏面に楔（凸）（８）形を加工し付着する。
（ハ）接着剤糊代（５）の面積を紙で覆い、この紙を剥がし易くする為に、張りめくり取っ手部（６）を加工し取り付ける。
（ニ）弾力性紙バンド（１）の両端にバンド貼り付け支持先端（７）及びバンドめくり取っ手部（６）の形を加工する。
本発明は以上の様な構造であるが、各図面について更に詳しく説明する。
図１  弾力性紙バンド（１）を上から見た斜視図で、最初に滅菌ガーゼ（２）の針先中心位置を指で押さえ、接着剤糊代（９）の張り紙めくり取っ手部（５）を指で摘まんで紙を剥がし、接着糊代（９）を腕の側部に張りつけ、滅菌ガーゼ下部より透析針を抜く事により、次に弾力性紙バンド（１）の上部に加工してある楔（凹）（４）の部分に図２の弾力性紙バンド（１）の下部に加工してある楔（凸）（８）を腕の回りに弾力性紙バンドを多少強く腕に巻きながら、楔（凹）（４）と楔（凸）（８）を確り絡ませ、止血操作を行う事。
図２  弾力性紙バンド（１）を裏側よリ見た図で、接着剤糊代（９）の部分を腕（１０）に張り易くする為にバンド貼り付け支持先端（７）を加工し、この部分を軽く引きながら、接着剤糊代（９）を腕（１０）の側部に張りつけ接着面を固定する事により、滅菌ガーゼ（２）の針先中心位置（３）を指で固定されると共に滅菌ガーゼ（２）の下部より透析針を抜き、弾力性紙バンド（１）に楔（凸）（８）を加工し、取り付け、図１の楔（凹）（４）がバンドの位置に確りと腕の太さに合わせて、上下の楔を絡ませ止血する事が出来、同時に、出血が止まった段階でバンドめくり取っ手部（６）を指で上側に持ち上げる様にして、この弾力性紙バンド（１）を腕（１０）より取り外す。
図３  楔（凹）（４）と楔（凸）（８）を絡ませて、腕（１０）の太さに合わせて楔の位置を固定し、時間と共に止血を止める事が出来る。
図４  腕（１０）に弾力性紙バンド（１）を一回転させる構造で、腕（１０）の上部に透析針の針先中心位置（３）で滅菌ガーゼ（２）を中心部に指で押さえると共に、バンド貼りつけ支持先端（７）を軽く引き、接着剤糊代（９）を腕（１０）に張りつけ、次にこの弾力性バンド（１）を強く腕（１０）に一回転させ、楔（凹）（４）と楔（凸）（８）を組み合わせて止血をし、止血が完了した段階でバンドめくり取っ手部（６）を上方向に引くと、弾力性紙バンド（１）は腕（１０）より簡単に外すことが出来、操作は終了する。
本発明を使用するときは、透析患者の透析針刺し部（腕又は太もも）からの透析針を緊急に抜きとり止血操作を行う為の操作で有り、腕（１０）の透析針の針先中心位置（３）に弾力性紙バンド（１）に固定してある滅菌ガーゼ（２）を固定位置で指で押さえ透析針を抜き取り、次に張り紙めくり取っ手部（５）を腕（１０）の下部方行に引くと、接着剤糊代（９）の表面が現われるので、バンド貼り付け支持先端（７）を指で引き、腕（１０）の側面に接着剤糊代（９）部を張り付け、弾力性紙バンド（１）を腕（１０）に巻きつける様にしてバンドめくり取っ手部（６）を強く引っ張り、楔（凹）（４）と楔（凸）を絡ませて、血管より血液が噴き出る止血操作を行う事であり、止血完了後はバンドめくり取っ手部（６）を上方行に持ちあげる事により、楔（凹）（４）と楔（凸）（８）が離れるので、弾力性紙バンド（１）が腕より外す事が出来ます。
【符号の説明】
【０００９】１  弾力性紙バンド    ２  滅菌ガーゼ    ３  針先中心位置    ４  楔（凹）
５  張り紙めくり取っ手部    ６  バンドめくり取っ手部    ７  バンド貼り付け支持先端    ８  楔（凸）    ９  接着剤糊代    １０  腕
【図１】
2013138911.tif 000003
【図２】
2013138911.tif 000004
【図３】
2013138911.tif 000005
【図４】
2013138911.tif 000006